(57)【要約】【課題】  発呼中に誤って筐体を閉じても、筐体を開いた際に容易に再発呼可能とする。【解決手段】  発呼中に筐体が閉じられると（Ｓ０１、Ｓ０２ステップのＹＥＳ）、発呼動作を停止すると共に、表示されている電話番号を一時的にメモリに記憶する（Ｓ０３、Ｓ０４ステップ）。続いて筐体が開かれると、自動的にメモリに一時的に記憶された電話番号を読み出しディスプレイに表示し、発呼可能な状態にする（Ｓ０６〜Ｓ０８ステップ）。【選択図】  図３
2010028156.tif 000002
【特許請求の範囲】
【請求項１】
表示部を有する第１の筐体と第２の筐体とがヒンジ部を介して開閉可能な折畳式通信装置であり、
前記折畳式通信装置は、入力手段と、当該入力手段により入力された相手先へ発呼を行う発呼手段と、を有し、
筐体が開いている状態で前記入力手段により前記相手先の情報が入力され、当該入力された相手先に対して前記発呼手段により発呼を行っている最中に筐体が閉じられると、
前記発呼手段による発呼動作を中止し、続いて筐体が開かれると、前記表示部に前記入力手段により入力された相手先の情報を表示することを特徴とする折畳式通信装置。
【請求項２】
表示部を有する第１の筐体と第２の筐体とがヒンジ部を介して開閉可能な折畳式通信装置であり、
前記折畳式通信装置は、入力手段と、当該入力手段により入力された相手先へ発呼を行う発呼手段と、を有し、
筐体が開いている状態で前記入力手段により前記相手先の情報が入力されると、入力された相手先の情報が前記表示部に表示され、当該表示部に表示されている相手先に対して前記発呼手段により発呼が行われている最中に筐体が閉じられると、
前記発呼手段による発呼動作を中止すると共に前記表示部への表示を中止し、続いて筐体が開かれると、前記表示部に前記入力手段により入力された相手先の情報を表示することを特徴とする折畳式通信装置。
【請求項３】
表示部を有する第１の筐体と第２の筐体とがヒンジ部を介して開閉可能な折畳式通信装置であり、
前記折畳式通信装置は、相手先の情報を入力する入力手段と、当該入力手段により入力された相手先へ発呼を行う発呼手段と、を有し、
筐体が開いている状態で前記入力手段により相手先の情報が入力され、当該入力された相手先に対して前記発呼手段により発呼を行っている最中に筐体が閉じられると、
前記発呼手段による発呼動作を中止すると共に前記表示部に前記入力手段により入力された相手先の情報を表示し、続いて筐体が開かれても前記相手先の情報の表示を維持することを特徴とする折畳式通信装置。
【請求項４】
請求項１〜３に記載の折畳式通信装置であり、
筐体が開かれた後に、表示部に相手先の情報が表示されている状態で、前記入力手段から発呼指示があると、前記発呼手段が、前記表示部に表示されている相手先へ発呼を行うことを特徴とする折畳式通信装置。
【請求項５】
請求項１〜４に記載の折畳式通信装置であり、
筐体が閉じられてから予め定められた時間内に筐体が開かれず、且つ予め定められた時間が経過すると、筐体を開いた際に前記表示部に相手先の情報の表示を行わず、待受け画像を表示することを特徴とする折畳式通信装置。
【発明の詳細な説明】
【技術分野】
【０００１】
本発明は折畳式通信装置に関する。
【背景技術】
【０００２】
現在市販されている通信装置（例えば、携帯電話装置）には、ＬＣＤ（Ｌｉｑｕｉｄ  Ｃｒｙｓｔａｌ  Ｄｉｓｐｌａｙ）やスピーカ等を搭載した第１筐体と、キーやマイク等を搭載した第２筐体とがヒンジ部分で連結された、所謂折畳式携帯電話装置が存在する。又、この折畳式携帯電話装置に関する技術も数多く開示されている（例えば、特許文献１）。
【特許文献１】特開２００７−２６７０２８号公報
【発明の開示】
【発明が解決しようとする課題】
【０００３】
従来の折畳式携帯電話装置では、筐体を開いた状態でユーザが電話番号を入力し、続いて通話ボタンを押下することにより発呼を行い、この発呼動作中にユーザが誤って筐体を閉じてしまった場合、発呼動作を中止すると共に通常の待ちうけ状態に戻る。この為、筐体を開くと通常の待ちうけ画面が表示された状態になり、ユーザが再度電話をかける為には、再度電話番号の入力操作から行う必要があった。
【課題を解決するための手段】
【０００４】
本発明はこのような課題を解決するものであり、請求項１記載の発明は、表示部を有する第１の筐体と第２の筐体とがヒンジ部を介して開閉可能な折畳式通信装置であり、前記折畳式通信装置は、入力手段と、当該入力手段により入力された相手先へ発呼を行う発呼手段と、を有し、筐体が開いている状態で前記入力手段により前記相手先の情報が入力され、当該入力された相手先に対して前記発呼手段により発呼を行っている最中に筐体が閉じられると、前記発呼手段による発呼動作を中止し、続いて筐体が開かれると、前記表示部に前記入力手段により入力された相手先の情報を表示することを特徴とする。
請求項２記載の発明は、表示部を有する第１の筐体と第２の筐体とがヒンジ部を介して開閉可能な折畳式通信装置であり、前記折畳式通信装置は、入力手段と、当該入力手段により入力された相手先へ発呼を行う発呼手段と、を有し、筐体が開いている状態で前記入力手段により前記相手先の情報が入力されると、入力された相手先の情報が前記表示部に表示され、当該表示部に表示されている相手先に対して前記発呼手段により発呼が行われている最中に筐体が閉じられると、前記発呼手段による発呼動作を中止すると共に前記表示部への表示を中止し、続いて筐体が開かれると、前記表示部に前記入力手段により入力された相手先の情報を表示することを特徴とする。
請求項３記載の発明は、表示部を有する第１の筐体と第２の筐体とがヒンジ部を介して開閉可能な折畳式通信装置であり、前記折畳式通信装置は、相手先の情報を入力する入力手段と、当該入力手段により入力された相手先へ発呼を行う発呼手段と、を有し、筐体が開いている状態で前記入力手段により相手先の情報が入力され、当該入力された相手先に対して前記発呼手段により発呼を行っている最中に筐体が閉じられると、前記発呼手段による発呼動作を中止すると共に前記表示部に前記入力手段により入力された相手先の情報を表示し、続いて筐体が開かれても前記相手先の情報の表示を維持することを特徴とする。
請求項４記載の発明は、請求項１〜３に記載の折畳式通信装置であり、筐体が開かれた後に、表示部に相手先の情報が表示されている状態で、前記入力手段から発呼指示があると、前記発呼手段が、前記表示部に表示されている相手先へ発呼を行うことを特徴とする。
請求項５記載の発明は、請求項１〜４に記載の折畳式通信装置であり、筐体が閉じられてから予め定められた時間内に筐体が開かれず、且つ予め定められた時間が経過すると、筐体を開いた際に前記表示部に相手先の情報の表示を行わず、待受け画像を表示することを特徴とする。
【発明の効果】
【０００５】
本発明によれば、発呼動作中に筐体を閉じて再度筐体を開くと、発呼相手先の電話番号の表示を行う為、ユーザは筐体を開いて通話ボタンを押下するだけで即座に再発呼を行うことが可能であり、電話番号の入力操作という面倒な操作を一々行う必要がない。
又、筐体を閉じて予め定められた時間が経過した後に筐体を開くと、通常の待受け画像が表示部に表示される為、ユーザが再度発呼する意思がないときには、待受け画像から装置を操作することが可能となり、非常に使い勝手の良い折畳式通信装置を提供できる。
【発明を実施するための最良の形態】
【０００６】
次に、本発明の一実施形態に係る通信装置（例えば、折畳式携帯電話装置）について、図面を参照して説明する。
【０００７】
図１は、本実施例装置の斜視図である。図１において、携帯電話装置１は、ディスプレイ４２を有する第１の筐体１０と、テンキー４８を有する第２の筐体２０とがヒンジ部を介して閉可能に接続されている。図１（ａ）は筐体を閉じた状態の斜視図、図２（ｂ）は筐体を開いた状態の斜視図である。
【０００８】
図２は、本実施例装置のブロック図を示している。図２に示すように、携帯電話装置１は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【０００９】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。尚、この通信部１２やＣＤＭＡ処理回路１８は電子メールの送受信機能も備えている。
【００１０】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１１】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１２】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動や警告音の鳴動も行う。
切替回路２２は、ベースバンド部１４との接続を、第１スピーカ２６用の増幅回路２４とマイクロホン３０用の増幅回路２８側にするか、あるいは第２スピーカ３４用の増幅回路３２とマイクロホン３０用の増幅回路２８側にするかを切り替える。
【００１３】
また、携帯電話装置１０は、ＧＰＳアンテナ５６と接続されたＧＰＳ通信部５８を備えている。ＧＰＳ通信部５８では、ＧＰＳアンテナ５６がとらえた現在位置情報に関する電波（ＧＰＳデータ）を電気信号に変換処理して制御回路３６に出力する。この制御回路３６では、ＧＰＳデータに基づいて携帯電話装置１０の現在位置情報が算出される。なお、制御回路３６に出力された携帯電話装置１０の現在位置情報は、ＲＡＭ４０に記憶される。
【００１４】
また、通信部１２、ベースバンド部１４、切替回路２２及びＧＰＳ通信部５８には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。ＲＡＭ４０は、電話番号と氏名とメールアドレス等が対応付けて複数格納可能な電話帳メモリの機能や、受信メールや送信メールのデータ、受信した画像データ等を格納する機能も有している。
【００１５】
制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、電源キー６４と、を有している。また、制御回路３６には、ディスプレイ４２のバックライトである照明部４６が接続されている。
【００１６】
開閉検出部６０は筐体の開閉を検出する。尚、この開閉検出部は一方の筐体に磁石を、他方の筐体にホール素子を用いた従来の開閉検出機構である。
次に本実施携帯に係る携帯電話装置１の動作について説明する。尚、図３の動作を実施する前に携帯電話装置１の筐体が開いた状態であるとする。
Ｓ０１ステップでは、制御回路３６は、開閉検出部６０から筐体が閉じたことを示す信号を検出すると、Ｓ０２ステップへ処理を進める。
Ｓ０２ステップでは、制御回路３６は、携帯電話装置１が発呼動作中であると判定するとＳ０３ステップへ処理を進め、そうでなければＳ０９ステップへ処理を進める。具体的には、Ｓ０１ステップの前の状態で、入力部４４から電話番号が入力され（このとき入力された電話番号はディスプレイ４２に表示される）、続いて入力部４４から発呼指示操作があると、制御回路３６は通信部１２とベースバンド部１４を制御することにより入力された電話番号へ発呼を行い、電話番号先と接続する前の発呼動作中に筐体が閉じられると、Ｓ０３ステップへ処理を進める。
Ｓ０３ステップでは、制御回路３６は、通信部１２とベースバンド部１４を制御することにより発呼動作を停止すると共に、ディスプレイ４２での画像表示を中止する。
続くＳ０４ステップでは、ディスプレイ４２に表示されていた（発呼途中であった）電話番号を記憶（或いは、ディスプレイ４２の表示画面そのものを記憶）する。具体的には、制御回路３６は、ディスプレイ４２に表示されていた（発呼途中であった）電話番号をＲＡＭ４０に格納し、Ｓ０５ステップへ処理を進める。
Ｓ０５ステップでは、制御回路３６は、入力部４４からのキー入力を無効にし、Ｓ０６ステップへ処理を進める。
Ｓ０６ステップでは、制御回路３６は、開閉検出部６０から筐体が開いたことを示す信号を検出すると、Ｓ０７ステップへ処理を進める。
Ｓ０７ステップでは、制御回路３６は、Ｓ０４ステップでＲＡＭ４０に格納した電話番号を読み出し、ディスプレイ４２に表示する。
続くＳ０８ステップでは、制御回路３６は、入力部４４からのキー入力を有効にする。
この為、Ｓ０８ステップの後は、入力部４４からの発呼指示に基づいて、ディスプレイ４２に表示されている電話番号へ発呼を行うことが可能である。例えば、ディスプレイ４２に電話番号が表示されている状態で通話キー５０が１回押下されると、ディスプレイ４２に表示されている電話番号へ発呼を行うことが可能である。
一方、Ｓ０２ステップでＮＯと判定した時の処理であるが、その場合には、Ｓ０９ステップへ処理が進み、Ｓ０９ステップでは、制御回路３６は実行中の動作を記憶する。例えば、制御回路３６がメール作成中であると判定すると、作成途中のメール本文やメールのタイトル、メール送信先等のデータをＲＡＭ４０に格納する。他、電話帳の編集途中であれば、その操作途中まで入力されたデータや、実効中の動作が何であるかを示すデータ等がＲＡＭ４０に格納される。
【００１７】
Ｓ１０ステップでは、制御回路３６は、ディスプレイ４２の表示をオフする。具体的には、制御回路３６がディスプレイ４２にデータを何も表示させない状態にしたり、照明部４５がオフとなった状態にする。
Ｓ１１ステップでは、制御回路３６は、入力部４４からのキー入力を無効にしＳ１２ステップへ処理を進める。
Ｓ１２ステップでは、制御回路３６は、開閉検出部６０から筐体が開いたことを示す信号を検出すると、Ｓ１３ステップへ処理を進める。
Ｓ１３ステップでは、制御回路３６は、Ｓ０９ステップでＲＡＭ４０に格納したデータを読み出し、そのデータの示す状態にする。例えば、Ｓ０９ステップでメール本文の作成途中であった場合には、作成途中のメール本文を表示する。続いて、Ｓ１４ステップ以降、入力部４４からのキー入力が有効になる為、メール本文の作成を継続できるようになる。又、Ｓ０９ステップで電話装置が待受状態であった場合には、待受状態になる。
尚、本実施例装置の実施形態の他に、以下のような構成にすることも考えられる。例えば、本実施例のＳ０３ステップにおいて、ディスプレイ４２への電話番号の表示を中止したが、ディスプレイ４２への電話番号の表示を維持する構成としても良い。この場合、Ｓ０７ステップにおける電話番号の読込表示処理は不要となる。
又、本実施例のＳ０３ステップにおいて、ディスプレイ４２への電話番号の表示を維持すると共に照明部４６の照明をオフする構成としても良い。この場合、Ｓ０７ステップにおいて、電話番号の読込表示処理は不要となり、照明部４６の照明をオンする構成となる。
又、筐体を閉じてから予め定められた時間（例えば１０分）筐体を閉じた状態が維持されると、筐体を開いた際に電話番号を表示せずに、通常の待受け画像を表示する構成としても良い。このような構成とする理由は、ユーザが筐体を閉じて１０分間放置したということは、ユーザが再度発呼する意思がない可能性が大である為、ユーザが再度筐体を開いた際には待受け画像をディスプレイ４２に表示させた方がユーザの使い勝手が向上するからである。
更に、本実施例では、筐体を開くと相手先の電話番号を表示する構成を実施したが、筐体を開くと相手先の名前を表示し、続くユーザの操作に応じて表示されている名前に対して発呼を行う構成や、筐体を開くと相手先の名前と電話番号の両方を表示し、続くユーザの操作に応じて表示されている名前（及び電話番号）に対して発呼を行う構成としても良い。表示する相手先の情報としては電話番号や氏名以外にも、相手先の顔の画像等でも良い。このような構成としても本実施例と同様な効果を奏することが可能である。
尚、本実施例では携帯電話装置において実施したが、例えば、折畳式の通信装置であれば、ＰＨＳ（Ｐｅｒｓｏｎａｌ  Ｈａｎｄｙｐｈｏｎｅ  Ｓｙｓｔｅｍ）等の通信装置にも適用可能である。
【図面の簡単な説明】
【００１８】
【図１】本発明を適用してなる実施例装置の斜視図である。
【図２】本実施例装置のブロック図である。
【図３】本実施例装置の動作を示すフロー図である。
【符号の説明】
【００１９】
１        携帯電話装置
１２      通信部
１４      ベースバンド部
３６      制御回路
４０      ＲＡＭ
４２      ディスプレイ
４４      入力部
６０      開閉検出部
【図１】
2010028156.tif 000003
【図２】
2010028156.tif 000004
【図３】
2010028156.tif 000005